(57)【要約】      （修正有）【課題】歩行の際に着用者の各足指への血行を高め、着用者の身体のバランスをサポートする５本指加圧ソックスを提供する。【解決手段】５本指ソックスにおいて、各足指部のそれぞれ指頭部後辺から足裏の触球部の前辺までの間に高伸縮性の弾性糸を帯環状に挿通することにより、足に着用すると各足指の茎部を適度に締め付け、各足指への血行を高める。この５本指加圧ソックスは、親指、第２指、第３指、第４指、小指を覆う爪先部と、着用者の踵を覆う踵部とを有し、着用者の足の甲は露出してもよい。【選択図】図１
0003185734.tif 000002
【実用新案登録請求の範囲】
【請求項１】
爪先部を親指、第２指、第３指、第４指、小指ごとに分離し、弾性糸を全体的に編み込んだ５本指加圧ソックスであって、各足指部においてそれぞれ着用者の指頭部後辺から足裏の触球部の前辺までの間に高伸縮性の弾性糸を帯環状に挿通することにより、足に着用すると各足指の茎部を適度に締め付け、各足指への血行を高めることで５本指で地面をつかむように踏ん張れる５本指加圧ソックス。
【請求項２】
親指、第２指、第３指、第４指、小指を覆う爪先部と、着用者の踵を覆う踵部とを有し、着用者の足の甲は露出する請求項１記載のソックス。
【請求項３】
爪先部を親指、第２指、第３指、第４指、小指ごとに分離し、弾性糸を全体的に編み込んだ５本指加圧ソックスであって、各足指部においてそれぞれ着用者の指頭部後辺から足裏の触球部の前辺までの間に高伸縮性の弾性糸を帯環状に挿通し、さらに着用者の土踏まずの個所に高伸縮性の弾性糸を帯環状に挿通することにより、足に着用すると各足指の茎部を適度に締め付けて歩行の際に各足指への血行を高め、さらに着用者の足裏の縦アーチをサポートすることで歩行時に疲れにくくなる５本指加圧ソックス。
【請求項４】
親指、第２指、第３指、第４指、小指を覆う爪先部と、着用者の土踏まずを覆う筒部とを有し、着用者の踵は露出する請求項３記載のソックス。
【請求項５】
爪先部を親指、第２指、第３指、第４指、小指ごとに分離し、弾性糸を全体的に編み込んだ５本指加圧ソックスであって、各足指部においてそれぞれ着用者の指頭部後辺から足裏の触球部の前辺までの間に高伸縮性の弾性糸を帯環状に挿通し、さらに着用者の土踏まずおよび下脛部の個所に高伸縮性の弾性糸を帯環状に挿通することにより、足に着用すると各足指の茎部を適度に締め付けて歩行の際に各足指への血行を高め、さらに着用者の土踏まずのアーチ、アキレス腱および足首の靱帯をサポートすることで歩行時に疲れにくくする５本指加圧ソックス。
【請求項６】
親指、第２指、第３指、第４指、小指を覆う爪先部の先端が開放され、着用者の足先は露出する請求項１、３または５記載のソックス。
【考案の詳細な説明】
【技術分野】
【０００１】
本考案は、両足に着用すると、各足指部の茎部に高伸縮性の弾性糸を帯環状に編み込んでいることにより、特に歩行の際に着用者の各足指への血行を高め、着用者の身体のバランスをサポートする５本指加圧ソックスに関する。
【背景技術】
【０００２】
足に着用するソックス類は、通常、靴下本体から爪先部にかけて筒状に編成され、主として足の保護および保温を目的とする。特殊な例として、足の怪我を予防したり疲労感を低減させるために、特開平１０−４６４０４号のように、踵部を膨出形成することなく、全体を伸縮性の高い弾性糸によってストレートに丸編みし、非伸縮部を部分的に配列したたソックスが存在する。また、着用時に各足指の接触を防いで清潔さを保つために、靴下の爪先部に各足指を別々に入れる５本指ソックスも市販されている。
【０００３】
既存の５本指ソックスは、全体が手袋と同様の編み組織である平編みによって編成されていたので、各足指が入る指袋部分に伸縮性が乏しく、指袋が足指の大きさや形状に合わずに窮屈で履きにくかった。この問題を回避するために、特開２００６−２７４４５９号、特開２００７−３９８１４号、特開２００９−１２０９８２号などが提案されている。
【０００４】
５本指ソックスについて、特開２００６−２７４４５９号は、靴下の爪先部と靴下本体とが別個に編成され、平編みの爪先部は裏目組織が外側になっている。特開２００７−３９８１４号は、ハイソックス全体が弾性糸の横編みで編成され、各部位を所定圧力で加圧し、脛部の下部から上部へ向かって着圧を段階的に減少させる。特開２００９−１２０９８２号は、靴下全体が横編みで編成され、靴下本体は表糸と、この表糸に挿入されて裏糸となる弾性糸とによって構成され、爪先部では靴下本体よりも生地を厚くするとともに靴下本体の編地よりも編目が粗くなる。特開２００９−１９１４１９号では、各足指の指袋部はコース方向に１目または２目の平編みと、１目または２目のタック編みとを交互に編成した編み組織となっている。
【先行技術文献】
【特許文献】
【０００５】
【特許文献１】特開平１０−４６４０４号公報
【特許文献２】特開２００６−２７４４５９号公報
【特許文献３】特開２００７−３９８１４号公報
【特許文献４】特開２００９−１２０９８２号公報
【特許文献５】特開２００９−１９１４１９号公報
【考案の概要】
【考案が解決しようとする課題】
【０００６】
特開平１０−４６４０４号に開示のスポーツソックスは、伸縮性の高い弾性糸によって多少のテーピング効果があっても、着用者の各足指への血行を高めるような効果は特に存在しない。また、特開２００６−２７４４５９号に開示の５本指ソックスは、足指が挿入しやすく且つ着用者の爪先の感触が良いだけである。特開２００７−３９８１４号、特開２００９−１２０９８２号または特開２００９−１９１４１９号は、いずれも履きやすくて疲れにくい５本指ソックスを提案しているが、着用者の各足指への血行を高めることはなく、５本指で地面をつかむように踏ん張れる機能も存在しない。
【０００７】
本考案は、従来の５本指ソックスとは異なり、心地よい着用感および正しい姿勢を得るために提案されたものであり、着用によって各足指への血行を高める５本指加圧ソックスを提供することを目的としている。本考案の他の目的は、足をしっかり踏ん張ることができ、直立姿勢時などで身体のバランスを安定させる５本指加圧ソックスを提供することである。
【課題を解決するための手段】
【０００８】
本考案に係る５本指加圧ソックスは、爪先部を親指、第２指、第３指、第４指、小指ごとに分離し、弾性糸を全体的に編み込んでいる。本考案に係るソックスは、各足指部においてそれぞれ着用者の指頭部後辺から足裏の触球部の前辺までの間に高伸縮性の弾性糸を帯環状に挿通することにより、足に着用すると各足指の茎部を適度に締め付け、各足指への血行を高めることで５本指で地面をつかむように踏ん張れる。この５本指加圧ソックスは、親指、第２指、第３指、第４指、小指を覆う爪先部と、着用者の踵を覆う踵部とを有し、着用者の足の甲は露出してもよい。
【０００９】
本考案に係る他の５本指加圧ソックスは、各足指部においてそれぞれ着用者の指頭部後辺から足裏の触球部の前辺までの間に高伸縮性の弾性糸を帯環状に挿通し、さらに着用者の土踏まずの個所に高伸縮性の弾性糸を帯環状に挿通することにより、足に着用すると各足指の茎部を適度に締め付けて歩行の際に各足指への血行を高め、さらに着用者の足裏の縦アーチをサポートすることで歩行時に疲れにくくなる。この５本指加圧ソックスは、親指、第２指、第３指、第４指、小指を覆う爪先部と、着用者の土踏まずを覆う筒部とを有し、着用者の踵は露出してもよい。
【００１０】
本考案に係る別の５本指加圧ソックスは、各足指部においてそれぞれ着用者の指頭部後辺から足裏の触球部の前辺までの間に高伸縮性の弾性糸を帯環状に挿通し、さらに着用者の土踏まずおよび下脛部の個所に高伸縮性の弾性糸を帯環状に挿通することにより、足に着用すると各足指の茎部を適度に締め付けて歩行の際に各足指への血行を高め、さらに着用者の土踏まずのアーチ、アキレス腱および足首の靱帯をサポートすることで歩行時に疲れにくくする。
【００１１】
本考案に係る５本指加圧ソックスにおいて、親指、第２指、第３指、第４指、小指を覆う爪先部の先端が開放され、着用者の足先は露出していると好ましい。
【考案の効果】
【００１２】
本考案に係る５本指加圧ソックスは、爪先部が親指、第２指、第３指、第４指、小指ごとに分離され、足に着用すると各足指の茎部を適度に締め付けることにより、歩行の際に各足指への血行を高め、末梢血管の循環が良くなって足指感覚が繊細になり、５本指で地面をつかむようにしっかり踏ん張れる。本考案の５本指加圧ソックスは、各足指への血行が良くなることにより、心地よい着用感を得ることができる。本考案の５本指加圧ソックスを着用すると、足裏左右のバランスが安定することで上体のバランスが安定し、結果として身体の首部や肩部などの疲れを軽減でき、着用者の内臓機能も活性化する。
【００１３】
本考案の５本指加圧ソックスにおいて、着用者の土踏まずの個所に高伸縮性の弾性糸を帯環状に挿通すると、足裏の縦アーチをサポートし、足裏の縦アーチが安定することで足が疲れにくくなり、足をいっそうしっかり踏ん張ることができる。この５本指加圧ソックスを着用すると、すっきりと美しい直立姿勢を達成し、いっそう安定した歩行ができる。
【００１４】
本考案の５本指加圧ソックスにおいて、着用者の土踏まずおよび下脛部の個所に高伸縮性の弾性糸を帯環状に挿通すると、着用者の下脛部をサポートし、足首部の安定性を高める。この５本指加圧ソックスを着用すると、日常生活での歩行においても、さらにゴルフやジョギングなどの趣味のスポーツにおいても、身体にとって正しいバランスを達成できる。
【図面の簡単な説明】
【００１５】
【図１】本考案に係る５本指加圧ソックスの一例の畳んだ状態を示す平面図である。
【図２】５本指加圧ソックスの高伸縮部の編組織図を例示する平面図である。
【図３】３個所の高伸縮部を有するハイソックスを示す斜視図である。
【図４】３個所の高伸縮部を有する孔開きソックスを示す斜視図である。
【図５】２個所の高伸縮部を有するアンクレットを示す斜視図である。
【図６】２個所の高伸縮部を有する前部分ソックスを示す斜視図である。
【図７】１個所の高伸縮部を有するフットカバーを示す斜視図である。
【図８】１個所の高伸縮部を有する孔開きフットカバーを示す斜視図である。
【考案を実施するための形態】
【００１６】
図１には、本考案に係る５本指加圧ソックス１の平面を例示し、該５本指加圧ソックスはストッキング、ハイソックス２(図３）、クルーソックス、ソックス、アンクレット３（図５）、ショートソックス、前部分ソックス、フットカバー４（図７）などを包含する。この５本指加圧ソックス１は、爪先部５が親指部６、第２指部７、第３指部８、第４指部９、小指部１０ごとに分離していれば、各足指の指袋部が図３、図５、図６のように密封されていても、図４、図８のように孔開きで開放されていてもよく、さらに所望に応じて５足指の一部だけが開放されていてもよい。
【００１７】
５本指加圧ソックス１は、通常、全体を横編み機によって編成される。また、爪先部５だけを横編み機で編成し、靴下本体部１２を丸編み機で個別に編成し、両者の編成後にリンキングで一体化することも可能である。５本指加圧ソックス１は、自体をナイロン糸、ポリエステル糸、綿糸、アクリル糸、ポリウレタン糸、ゴム糸などで編成し、好ましくは全体に弾性を付与するために、ナイロン糸、ポリエステル糸、綿糸、綿とポリエステル繊維やアクリル繊維との混紡糸である表糸と、添え糸としてポリウレタン糸やゴム糸の周囲をポリエステル糸で覆ったカバリングヤーンである裏糸とで編成してもよい。５本指加圧ソックス１は、所望に応じて、部分的に硬さを代えるために２段階成形したり、または後処理で踵部１４などの表面を硬化させることも可能である。
【００１８】
５本指加圧ソックス１において、高伸縮部である爪先伸縮部１６、中間伸縮部１８および下脛伸縮部２０の編組織図を図２に例示する。これらの部分では、いずれも高伸縮糸２２の積極給糸により、平編地に高伸縮糸２２を帯環状に挿入編みし、元の長さの１.３〜１.８倍程度の挿入編みが適当である。高伸縮糸２２には、ポリウレタン糸、ゴム糸、ポリウレタン糸やゴム糸の周囲をナイロン糸で覆ったダブルカバリングヤーンなどを用いることができる。爪先伸縮部１６、中間伸縮部１８および下脛伸縮部２０では、帯環状の高伸縮糸２２の存在によって生地が比較的厚くなり、しかも高伸縮糸２２が靴下裏側に配列されることによって着用者の足を効果的に強く締め付けることができる。
【００１９】
５本指加圧ソックス１では、図３から図７に例示するように、少なくとも爪先伸縮部１６を高伸縮部分にすることが必要である。高伸縮性の爪先伸縮部１６は、各足指部６〜１０においてそれぞれ着用者の指頭部後辺から足裏の触球部の前辺まで配置し、着用者の指頭部および足裏の触球部上に達しない。このため、爪先伸縮部１６は、図１に示すような各足指部６〜１０の関節部から基端まででなく、該基端を越えて本体部１２の上周端まで高伸縮糸２２を挿通してもよい。高伸縮性の爪先伸縮部１６は、着用者の指頭部後辺と足裏の触球部の前辺との間で所定の横幅を有することにより、着用者の各足指の茎部を適度に締め付けて歩行の際に各足指への血行を高め、５本指で地面をつかむような感触を得ることができる。
【００２０】
５本指加圧ソックス１は、図３から図６に例示するように、着用者の土踏まずに対応する中間伸縮部１８も高伸縮部分にすることが可能である。高伸縮性の中間伸縮部１８は、着用者の足裏の触球部後辺から踵部の前辺まで配置すると好ましい。高伸縮性の中間伸縮部１８は、着用者の足裏の縦アーチをサポートし、足裏の縦アーチが安定することで足が疲れにくくなる。
【００２１】
５本指加圧ソックス１は、図３および図４に例示するように、さらに下脛伸縮部２０を高伸縮部分にすることも可能である。高伸縮性の下脛伸縮部２０は、着用者の下脛部をサポートし、足首部の安定性を高める。高伸縮性の下脛伸縮部２０が存在すると、日常生活での歩行においても、さらにゴルフやジョギングなどの趣味のスポーツにおいても、身体にとって正しいバランスを達成しやすい。
【００２２】
５本指加圧ソックス１について、吸湿・速乾機能に優れた素材を使用し、さらに消臭機能を有する素材を選択できる。５本指加圧ソックス１には、吸湿性や通気性などを有する糸を使用しても、編成後に抗菌剤などを含浸させてもよい。
【００２３】
５本指加圧ソックス１を着用すると、各足指間が隔離することで装着感が良好であり、且つ抗菌剤などが添加されていると、水虫つまり白癬菌の繁殖を防ぐことができる。日本では、水虫患者が数百万人と推測されており、これらの人が５本指加圧ソックス１を着用すると、身体のバランスの安定化とともに水虫の予防または繁殖防止に役立つことになる。
【実施例１】
【００２４】
次に、本考案を実施例に基づいて説明する。図３は、５本指加圧ソックス１の一例であるハイソックス２を示し、全体が横編み機によって編成され、その爪先部が親指部、第２指部、第３指部、第４指部、小指部ごとに分離している。ハイソックス２は、綿とポリエステル繊維の混紡糸である表糸と、添え糸としてポリウレタン糸の周囲をポリエステル糸で覆ったカバリングヤーンである裏糸とで編成し、ソックス全体に弾性を有する。ハイソックスは、爪先部分２４と踵部分２６において色糸による色柄を有し、リブトップ２８はゴム糸の挿入編みによって平編地による編出しを行う。
【００２５】
ハイソックス２において、爪先伸縮部１６、中間伸縮部１８および下脛伸縮部２０の部分は、高伸縮糸２２（図２）の積極給糸により、平編地に高伸縮糸２２を帯環状に挿入編みする。高伸縮糸２２は、ポリウレタン糸の周囲をナイロン糸で覆ったダブルカバリングヤーンである。爪先伸縮部１６、中間伸縮部１８および下脛伸縮部２０では、帯環状の高伸縮糸２２の存在によって生地が比較的厚くなり、しかも高伸縮糸２２が靴下裏側に配置されることにより、着用者の足を部分的且つ効果的に強く締め付けることができる。
【実施例２】
【００２６】
図４は、５本指加圧ソックス１の一例である孔開きソックス３０を示し、その爪先部が親指部、第２指部、第３指部、第４指部、小指部ごとに分離している。孔開きソックス３０では、各足指の指袋が第一関節の位置で切断され、５本指の指袋が全て開放され、着用者の足先は露出する。孔開きソックス３０は、ナイロン糸、ゴム糸、ポリウレタン糸、綿糸などで編成される。
【００２７】
孔開きソックス３０において、爪先伸縮部１６、中間伸縮部１８および下脛伸縮部２０の部分は、高伸縮糸２２（図２）の積極給糸によって平編地に高伸縮糸２２を挿入編みする。爪先伸縮部１６は、開放指袋の周端と一致していても、該周端から多少距離をおいてもよい。高伸縮糸２２は、高伸縮性のゴム糸、ポリウレタン糸である。爪先伸縮部１６、中間伸縮部１８および下脛伸縮部２０では、帯環状の高伸縮糸２２の存在によって生地が比較的厚くなり、しかも高伸縮糸２２が靴下裏側に配置されることにより、着用者の足を効果的に締め付ける。
【実施例３】
【００２８】
図５は、５本指加圧ソックス１の一例であるアンクレット３を示し、その爪先部が親指部、第２指部、第３指部、第４指部、小指部ごとに分離している。アンクレット３は、爪先部分２４と踵部分２６において色糸による色柄を有し、リブトップ２８はゴム糸の挿入編みによって平編地による編出しを行う。
【００２９】
アンクレット３において、爪先伸縮部１６および中間伸縮部１８の部分は、高伸縮糸２２（図２）の積極給糸により、平編地に高伸縮糸２２を帯環状に挿入編みする。爪先伸縮部１６および中間伸縮部１８では、帯環状の高伸縮糸２２の存在によって生地が比較的厚くなり、しかも高伸縮糸２２が靴下裏側に配置されることにより、着用者の足を部分的且つ効果的に強く締め付ける。
【実施例４】
【００３０】
図６は、５本指加圧ソックス１の一例である前部分ソックス３２を示し、その爪先部が親指部、第２指部、第３指部、第４指部、小指部ごとに分離している。前部分ソックス３２は、各足指を覆う爪先部と、着用者の土踏まずを覆う筒部とを有し、着用者の踵は露出する。この前部分ソックスは、図示のように高伸縮性の中間伸縮部１８を有していても、該中間伸縮部が形成できないほど短くてもよい。
【００３１】
前部分ソックス３２において、爪先伸縮部１６および中間伸縮部１８の部分は、高伸縮糸２２（図２）の積極給糸により、平編地に高伸縮糸２２を帯環状に挿入編みする。生地が爪先伸縮部１６および中間伸縮部１８では、帯環状の高伸縮糸２２の存在によって比較的厚くなり、しかも高伸縮糸２２が靴下裏側に配置されることによって着用者の足を効果的に締め付ける。
【実施例５】
【００３２】
図７は、５本指加圧ソックス１の一例であるフットカバー４を示し、その爪先部が親指部、第２指部、第３指部、第４指部、小指部ごとに分離している。フットカバー４は、各足指を覆う爪先部と、着用者の踵を覆う踵部とを有し、着用者の足の甲は露出する。フットカバー４を比較的細い編糸および弾性糸で編成すると、該フットカバーの上にストッキングを着用することも可能である。
【００３３】
フットカバー４において、爪先伸縮部１６の部分は、高伸縮糸２２（図２）の積極給糸により、平編地に高伸縮糸２２を帯環状に挿入編みする。爪先伸縮部１６では、帯環状の高伸縮糸２２の存在によって生地が比較的厚くなり、しかも高伸縮糸２２が靴下裏側に配置されることによって着用者の足を効果的に締め付ける。
【実施例６】
【００３４】
図８は、５本指加圧ソックス１の一例である孔開きフットカバー３４を示し、その爪先部が親指部、第２指部、第３指部、第４指部、小指部ごとに分離している。孔開きフットカバー３４を比較的細い編糸および弾性糸で編成すると、該フットカバーの上にストッキングを着用することも可能である。
【００３５】
孔開きフットカバー３４において、爪先伸縮部１６の部分は、高伸縮糸２２（図２）の積極給糸により、平編地に高伸縮糸２２を帯環状に挿入編みする。爪先伸縮部１６では、帯環状の高伸縮糸２２の存在によって比較的厚くなり、しかも高伸縮糸２２が靴下裏側に配置されることによって着用者の足を効果的に締め付ける。
【符号の説明】
【００３６】
１    ５本指加圧ソックス
５    爪先部
６    親指部
７    第２指部
８    第３指部
９    第４指部
１０    小指部
１２    靴下本体部
１４    踵部
１６    爪先伸縮部
１８    中間伸縮部
２０    下脛伸縮部
【図１】
0003185734.tif 000003
【図２】
0003185734.tif 000004
【図３】
0003185734.tif 000005
【図４】
0003185734.tif 000006
【図５】
0003185734.tif 000007
【図６】
0003185734.tif 000008
【図７】
0003185734.tif 000009
【図８】
0003185734.tif 000010